(57)【要約】【課題】浮動弁体上や小空気弁孔内に滞留した水の凍結による作動不良を防ぐ。【解決手段】弁箱１内の弁室１３に管路接続口４に連通する連通口６を設け、その弁室１３内に浮動弁体５とフロート３とで構成されるフロート弁１０を収納し、弁室１３の上部に空気弁孔１１を設けてフロート弁１０の上下動により開閉させ、浮動弁体５に設けた小空気弁孔１５をフロート３の上下動により開閉させる空気弁において、小空気弁孔１５内に小空気孔栓用ピン２０を上下動自在に設けて、弾性部材２２により下方に付勢するとともにその脱落を阻止するストッパ装置を設け、フロート３が小空気孔栓用ピン２０を押し上げて小空気弁孔１５を閉弁させる。このため、小空気弁孔１５内に水が残りにくくなり、凍結による作動不良を防ぐことができる。また、浮動弁体５上の凹部Ａの底から弁箱１外に通じる排出孔２６を下り勾配で設けたので、小空気弁孔１５内から押し出された水を排水できる。【選択図】図１
2007177913.tif 000002
【特許請求の範囲】
【請求項１】
弁箱１の内部に設けた弁室１３に前記弁箱１下部の管路接続口４に連通する連通口６を設け、前記弁室１３内にフロート弁１０を上下動自在に収納し、前記弁室１３の上部に空気弁孔１１を設けて、前記フロート弁１０の上面５ｂが前記空気弁孔１１の下端部周縁に設けた弁座８ａに接離することにより前記空気弁孔１１を開閉する空気弁において、
上記空気弁孔１１を閉じた状態における上記フロート弁１０の上面５ｂと前記空気弁孔１１の内周面との成す凹部Ａの底から上記弁箱１外に通じる排出孔２６を、前記凹部Ａから弁箱１外に向かって水平又は下り勾配で設けたことを特徴とする空気弁。
【請求項２】
弁箱１の内部に設けた弁室１３に前記弁箱１下部の管路接続口４に連通した連通口６を設け、前記弁室１３内に、上下動自在の浮動弁体５とその浮動弁体５の下部に設けたスカート部５ａ内に上下動自在に設けたフロート３とで構成されるフロート弁１０を収納し、前記弁室１３の上部に空気弁孔１１を設けて、前記フロート弁１０の上下動により前記空気弁孔１１を開閉するとともに、前記浮動弁体５に上下方向の小空気弁孔１５を設けて、前記浮動弁体５に対する前記フロート３の上下動により前記小空気弁孔１５を開閉する空気弁において、
上記浮動弁体５の小空気弁孔１５内に小空気孔栓用ピン２０を上下動自在に設け、その上下動により小空気弁孔１５を開閉するようにし、前記浮動弁体５に、前記小空気孔栓用ピン２０を下方に付勢する弾性部材２２を設けるとともにその小空気孔栓用ピン２０の脱落を阻止するストッパ装置を設け、上記フロート３は、その弾性部材２２の付勢力に抗して前記小空気孔栓用ピン２０を押し上げることにより前記小空気弁孔１５を閉弁させることを特徴とする空気弁。
【請求項３】
上記空気弁孔１１は、上記浮動弁体５の上面５ｂが前記空気弁孔１１の下端部周縁に設けた弁座８ａに接離することにより開閉され、その空気弁孔１１を閉じた状態における上記浮動弁体５の上面５ｂと前記空気弁孔１１の内周面との成す凹部Ａの底から上記弁箱１外に通じる排出孔２６を、前記凹部Ａから弁箱１外に向かって水平又は下り勾配で設けたことを特徴とする請求項２に記載の空気弁。
【請求項４】
上記小空気弁孔１５は、上記小空気孔栓用ピン２０が上昇し、その外周面が前記小空気弁孔１５の内周面の全周且つ全長に密着することにより閉弁することを特徴とする請求項２又は３に記載の空気弁。
【請求項５】
上記小空気孔栓用ピン２０に上部に開口する通水孔２５と、その通水孔２５の下端から横方向に延びて周面に開口する補助孔２５ａを設け、前記小空気孔栓用ピン２０が下降することにより、前記通水孔２５と前記補助孔２５ａを通じて前記小空気弁孔１５を開弁し、上記閉弁状態において、前記通水孔２５と前記補助孔２５ａとが前記浮動弁体５の上面５ｂよりも上方に突出することを特徴とする請求項４に記載の空気弁。
【請求項６】
上記小空気弁孔１５の下方に筒状のガイド２１を設けてそのガイド２１内に上記小空気孔栓用ピン２０を摺動させ、前記ガイド２１の内周部には上下方向の溝２１ａを形成してその溝２１ａ内に外部へ通じる流通孔２１ｂを設け、前記小空気孔栓用ピン２０が下降することにより前記流通孔２１ｂ及び溝２１ａを通じて前記小空気弁孔１５を開弁することを特徴とする請求項２乃至５のいずれかに記載の空気弁。
【請求項７】
弁箱１内と管路Ｐとを連通する導入管３０を設け、その導入管３０により前記管路Ｐ内に流れる水の一部を弁箱１内に導入するとともに、その導入した水を上記小空気孔栓用ピン２０に向けて放流したことを特徴とする請求項２乃至６のいずれかに記載の空気弁。
【発明の詳細な説明】
【技術分野】
【０００１】
この発明は、水道管路に取付けて、その管路内の空気を吸排する空気弁に関するものである。
【背景技術】
【０００２】
従来の空気弁は、例えば、図７（ａ）に示すように、水道管路Ｐに、あるいはその水道管路Ｐから立ち上がる分岐管Ｐ’に取付けられ、その構成は、弁箱１の内部に有底の円筒形状を成す案内部材２が設けられており、その案内部材２の内部に弁室１３が形成されている。また、その前記案内部材２の下端には、弁箱１の下部の管路接続口４に通じる連通口６が設けられている。
弁室１３の上部には環状のガスケット８を介して蓋７が弁箱１に取付けられ、その蓋７の中央部には、前記弁室１３内と弁箱１外とを連通する空気弁孔１１が設けられ、蓋７の上部には、その空気弁孔１１を覆う保護カバー９が設けられている。
【０００３】
弁室１３には、上記空気弁孔１１を開閉すべく浮動弁体５とその下部のスカート部５ａ内にフロート３が収容され、浮動弁体５とフロート３はフロート弁１０を構成している。その浮動弁体５には、中央に小空気弁孔１５を有するねじ部材１７が上下方向に貫通するように取付けられて、その小空気弁孔１５の下端部下面に弁座１６を形成している。
【０００４】
水道管路Ｐの新設時や断水後などに初めて通水するときには、前記フロート弁１０は自重により弁室１３の下端まで下降しており、管路接続口４から案内部材２の外側の流路１４を通り大連通口１２を経て弁室１３の上部の空気弁孔１１へ至る排気流路が形成されるため、水道管路Ｐ内に多量に存在する空気を急速に排出することができる。
【０００５】
水道管路Ｐ内の空気の排出に伴い、図７（ｂ）に示すように、前記フロート弁１０は弁室１３に流入した水により上昇し、そして、弁室１３内が満水状態になると、浮動弁体５の周縁部上面５ｂが、上記蓋７に設けた上記空気弁孔１１の周縁部下面（弁座）１１ａに当接して、その空気弁孔１１を閉じる。
この状態において、弁室１３内にわずかに空気が流入すると、その弁室１３内の水位が下がり（図７（ｃ）参照）、フロート３が下降して小空気弁孔１５を開く。これにより、その空気が外部に排出されるようになっている。
【０００６】
また、水道管路Ｐ内の水を抜く時は、図７（ｄ）に示すように、フロート弁１０が降下し、多量の空気を急速に吸入することにより排水効率を高めるとともに、管路Ｐが負圧により破損するのを防止する。
【０００７】
この種の空気弁において、図７（ｂ）に示すように、フロート弁１０が上昇した状態において、そのフロート弁１０の浮動弁体５上には、小空気弁孔１５から排出された空気とともに水滴が噴出するので、その浮動弁体５上の凹部Ａに水が溜まりやすいという問題がある。このため、寒冷地で空気弁を使用すると、その凹部Ａに滞留した水が凍ってしまい、フロート弁１０の円滑な昇降を妨げることがある。
また、上記小空気弁孔１５内は内径が小さいので、その小空気弁孔１５の内部に滞留した水が凍ることもある。内部の水が凍ると、小空気弁孔１５が塞がるので、円滑な排気を妨げることになる。
そこで、その凍結による作動不良を防ぐための各種技術が開示されている（特許文献１乃至３参照）。
【０００８】
【特許文献１】実開昭５７−２０５４６０号公報（第２頁第２図及び第３図）
【特許文献２】特開昭５４−８４６２５号公報
【特許文献３】特開昭５８−４２２７６号公報
【発明の開示】
【発明が解決しようとする課題】
【０００９】
特許文献１に示す技術は、弁箱と蓋との間に吸水性物質を配置し、その吸水性物質に浮動弁体上の凹部に溜まった水を吸収させて、水の滞留を抑制するものである。しかし、その吸水性物質の吸水性能を超える量の水が滞留した場合には、すべての滞留水を排出できなくなるので、その機能には限界がある。また、吸水性物質は次第に劣化するので、定期的に取替え、交換等が必要であり、メンテナンス作業が繁雑になるという問題がある。
【００１０】
特許文献２及び３に示す技術は、弁箱内に水道管路（本管）内に流れる水の一部を導入し、その導入により弁箱内の水を流動させて、その凍結を防止するものである。
このため、弁室内から上部に伸びる小空気弁孔内に残る水の凍結防止にも幾分寄与し得ると考えられるが、その小空気弁孔内のすべての水を流動させることはできないので、小空気弁孔内に滞留した水の凍結防止効果には限界がある。
【００１１】
そこで、この発明は、浮動弁体上や小空気弁孔内に滞留した水の凍結による作動不良を防ぐことを課題とする。
【課題を解決するための手段】
【００１２】
上記課題を解決するために、この発明は、まず、浮動弁体上に滞留した水を排水するために、その水の滞留部分の底から水平又は下り勾配で弁箱外に通じる排出孔を設けたものである。
このようにすれば、滞水した水は順次排出されるので、従来の吸水性物質を用いた排水手法のように排水量の限界がなく、その浮動弁体上に滞留した水の凍結による作動不良を防ぐことができる。
【００１３】
つぎに、この発明は、浮動弁体に形成した小空気弁孔が閉弁する際に、その小空気弁孔内に残る水を上方に押し出して排水する小空気孔栓用ピンを設けたものである。
このようにすれば、小空気弁孔内に水が残りにくくなるので、小空気弁孔内の水の凍結による小空気弁孔の閉塞を防止し、作動不良を防ぐことができる。
【００１４】
なお、小空気孔栓用ピンにより上方に押し出された水は、上記浮動弁体上に流出することとなるが、併せて、上記のごとく弁箱に排出孔を設けておけば、その流出した水を弁箱外に排水できるのでより好ましい。
【発明の効果】
【００１５】
この発明は、浮動弁体上の水の滞留部分の底から、水平又は下り勾配で弁箱外に通じる排出孔を設けたので、浮動弁体上に滞留した水を排水し、凍結による作動不良を防ぐことができる。
【００１６】
また、その浮動弁体に形成した小空気弁孔が閉弁する際に、その小空気弁孔内に残る水を上方に押し出して排水する小空気孔栓用ピンを設けたので、凍結による小空気弁孔内の閉塞を防ぎ、作動不良を防ぐことができる。
【発明を実施するための最良の形態】
【００１７】
具体的には、浮動弁体上に滞留した水の凍結による作動不良を防止するために、この実施形態は、弁箱の内部に設けた弁室に前記弁箱下部の管路接続口に連通する連通口を設け、前記弁室内にフロート弁を上下動自在に収納し、前記弁室の上部に空気弁孔を設けて、前記フロート弁の上面が前記空気弁孔の下端部周縁に設けた弁座に接離することにより前記空気弁孔を開閉する空気弁において、前記空気弁孔を閉じた状態における上記フロート弁の上面と前記空気弁孔の内周面との成す凹部の底から上記弁箱外に通じる排出孔を、前記凹部から弁箱外に向かって水平又は下り勾配で設けたものである。
【００１８】
このようにすれば、浮動弁体上に滞留した水は、水平又は下り勾配の排出孔を通って順次排出され、その排水口は、水の滞留部となるフロート弁の上面と前記空気弁孔の内周面との成す凹部の底から延びるので、すべての滞留水が残さず排水される。このため、浮動弁体上に滞留した水の凍結による作動不良を防ぐことができる。
【００１９】
また、上記小空気弁孔内に残る水の凍結による作動不良を防止するために、この実施形態は、弁箱の内部に設けた弁室に前記弁箱下部の管路接続口に連通した連通口を設け、前記弁室内に、上下動自在の浮動弁体とその浮動弁体の下部に設けたスカート部内に上下動自在に設けたフロートとで構成されるフロート弁を収納し、前記弁室の上部に空気弁孔を設けて、前記フロート弁の上下動により前記空気弁孔を開閉するとともに、前記浮動弁体に上下方向の小空気弁孔を設けて、前記浮動弁体に対する前記フロートの上下動により前記小空気弁孔を開閉する空気弁において、下記の構成を採用したものである。
すなわち、上記浮動弁体の小空気弁孔内に小空気孔栓用ピンを上下動自在に設け、その上下動により小空気弁孔を開閉するようにし、前記浮動弁体に、前記小空気孔栓用ピンを下方に付勢する弾性部材を設けるとともにその小空気孔栓用ピンの脱落を阻止するストッパ装置を設け、上記フロートは、その弾性部材の付勢力に抗して前記小空気孔栓用ピンを押し上げることにより前記小空気弁孔を閉弁させるようにしたものである。
【００２０】
このようにすれば、小空気弁孔内に滞留する水は、その小空気弁孔内に上下動自在の小空気孔栓用ピンによって上方へ押し出されて残りにくくなるので、水の凍結による小空気弁孔の閉塞を防止し、作動不良を防ぐことができる。
【００２１】
なお、その小空気孔栓用ピンにより上方に押し出された水は、上記浮動弁体上に流出することとなるが、上記空気弁孔が、浮動弁体の上面が空気弁孔の下端部周縁に設けた弁座に接離することにより開閉される構成を有する場合は、その浮動弁体上に水が滞留しやすい凹部が形成された状態となっている。このため、空気弁孔を閉じた状態における上記フロート弁の上面と前記空気弁孔の内周面との成す凹部の底から弁箱外に通じる排出孔を、前記凹部から弁箱外に向かって水平又は下り勾配で設けておけば、その流出した水を弁箱外に排水できるのでより好ましい。
【００２２】
また、上記の各構成において、上記小空気孔栓用ピンが上昇し、その外周面が前記小空気弁孔の内周面の全周且つ全長に密着することにより、上記小空気弁孔が閉弁するようにすれば、小空気弁孔内に滞留するすべての水が、完全に弁孔外に押し出されるようになるので、作動不良をより確実に防ぐことができる。
【００２３】
上記小空気孔栓用ピンの外周面が上記小空気弁孔の内周面の全周且つ全長に密着するようにした構成において、上記小空気孔栓用ピンに上部に開口する通水孔と、その通水孔の下端から横方向に延びて周面に開口する補助孔を設け、前記小空気孔栓用ピンが下降することにより、前記通水孔と前記補助孔を通じて前記小空気弁孔を開弁し、上記閉弁状態において、前記通水孔と前記補助孔とが前記浮動弁体の上面よりも上方に突出するようにした構成を採用し得る。
【００２４】
小空気弁孔の内径が小さくなれば、それに対応する小空気孔栓用ピンの径も小さくせざるを得ないが、その小空気弁孔の内径に合わせて小空気孔栓用ピンが細くなるとその強度が問題となる。この点、上記の構成とすれば、ピンの強度は維持しつつ通水孔と補助孔とを小空気弁孔よりもさらに小径とし得るので、開弁時は、その細い通水孔と補助孔とを通じて極微量の空気の滞留に対しても対応して排気できるようになる。
また、閉弁時は、その小径の通水孔と補助孔とは前記浮動弁体の上面よりも上方に突出するので、その通水孔と補助孔の内部に残る水は、大気圧を受けて自重により浮動弁体上に流下するようになる。このため、前記通水孔及び補助孔内に水を滞留させることなく、凍結による小空気孔の閉塞を防止し得る。
【００２５】
さらに、上記小空気弁孔の下方に筒状のガイドを設けてそのガイド内に上記小空気孔栓用ピンを摺動させ、前記ガイドの内周部には上下方向の溝を形成してその溝内に外部へ通じる流通孔を設け、前記小空気孔栓用ピンが下降することにより前記流通孔及び溝を通じて前記小空気弁孔を開弁可能とした構成を採用し得る。
【００２６】
このようにすれば、小空気孔栓用ピンが下降することにより小空気弁孔内から離脱した後も、その小空気孔栓用ピンの上下動をガイドすることができる。また、その離脱状態において、前記小空気孔栓用ピンが前記ガイド内面に摺動する状態にあっても、上記溝と流通孔を通じて、弁室内の空気を小空気弁孔（小空気孔栓用ピンが離脱した後の小空気弁孔内の空間）に向かって排気することができる。
【００２７】
さらに、弁箱内と管路とを連通する導入管を設け、その導入管により前記管路内に流れる水の一部を弁箱内に導入するとともに、その導入した水を上記小空気孔栓用ピンに向けて放流すれば、その小空気孔栓用ピン周囲の水を流動させて、さらなる凍結防止効果を発揮し得る。
【実施例１】
【００２８】
実施例１を図１乃至図４に基づいて説明する。この実施例１の空気弁は、水道管路Ｐから立ち上がる分岐管Ｐ’に取付けられる吸排気用空気弁である。
その構成は、弁箱１の内部に有底の円筒形状を成す案内部材２が設けられており、その案内部材２の内部に弁室１３が形成されている。また、その前記案内部材２の下端には、弁箱１の下部の管路接続口４に通じる連通口６が設けられている。
弁室１３の上部には環状のスリーブ１８及びガスケット８を介して蓋７が弁箱１に取付けられ、その蓋７の中央部には、前記弁室１３内と弁箱１外とを連通する空気弁孔１１が設けられている。蓋７の上部に取付けられる保護カバー９は、図示省略している。
【００２９】
弁室１３には、上記空気弁孔１１を開閉すべく浮動弁体５とその下部のスカート部５ａ内に球状のフロート３が収容され、その浮動弁体５とフロート３とでフロート弁１０を構成している。スカート部５ａは、フロート３の上下動をガイドする役割を果たす。その浮動弁体５には、中央に小空気弁孔１５を有するねじ部材（ネジコマ）２３が上下方向に貫通するようにねじ込まれて取付けられており、その小空気弁孔１５内部には、その全長全周に亘り弁座２４が設けられている。弁座２４は、その上部において徐々に縮径するテーパー部２４ａを備え、その下部は同一の内径で下端部まで続いている。
【００３０】
上記空気弁孔１１は、上記フロート弁１０の上下動により上記浮動弁体５の上面５ｂが前記空気弁孔１１の下端部周縁に設けた弁座８ａに接離することにより開閉する。
弁座８ａは、上記蓋７と弁箱１上面との間に介在するガスケット８の内側周縁部を、前記浮動弁体５の上面５ｂの周縁部形状に合わせて成形したものであり、浮動弁体５が上昇すれば、その弁座８ａと上面５ｂとは全周に亘って密着するようになっている。
【００３１】
上記浮動弁体５の小空気弁孔１５内には、上記弁座２４にぴったりと密着可能な小空気孔栓用ピン２０が上下動自在に設けられている。フロート３に押し上げられて小空気孔栓用ピン２０が上昇すれば、その小空気孔栓用ピン２０の外周面が前記弁座２４の内周面にその全周且つ全長に亘ってぴったりと密着する。
このとき、小空気孔栓用ピン２０の本体部２０ｃ上部に形成されたテーパー部２０ｆが、弁座２４のテーパー部２４ａにぴったりと密着するようになっており、小空気孔栓用ピン２０の外周面と小空気弁孔１５の内周面との間にその全長に亘り空隙が生じないようになっている。
また、その小空気孔栓用ピン２０の下端部下面には、前記フロート３が当接するクッションゴム２０ｂが取付けられている。
【００３２】
その浮動弁体５には、前記小空気孔栓用ピン２０を下方に付勢するコイルばね（弾性部材）２２が設けられており、そのコイルばね２２は、その上部が浮動弁体５の下面に当接し、その下部は、小空気孔栓用ピン２０の下端部に形成した鍔部２０ａに係止されている。
【００３３】
また、前記小空気孔栓用ピン２０が下降した際に、その小空気孔栓用ピン２０の上端部に設けた張り出し部２０ｅが浮動弁体５の上面に係止されるようになっており（図１及び図３参照）、この係止により、小空気孔栓用ピン２０の脱落が阻止されストッパ装置として機能するようになっている。
【００３４】
上記小空気孔栓用ピン２０には、上記テーパー部２０ｆよりも上に、本体部２０ｃよりも小径の突出軸部２０ｄが設けられており、その突出軸部２０ｄには、上端面に開口する上下方向の通水孔２５と、その通水孔２５の下端から横方向両側へ延びて周面に開口する補助孔２５ａが設けられている。前記小空気孔栓用ピン２０が下降することにより、前記通水孔２５と前記補助孔２５ａを通じて前記小空気弁孔１５を開弁する。通水孔２５と補助孔２５ａとを通じて上記小空気弁孔１５を開弁し得るようにしたので、その通路を小径にすることができる。
また、上記小空気孔栓用ピン２０が完全に上昇することにより、上記突出軸部２０ｄの通水孔２５と補助孔２５ａとが浮動弁体５の上面５ｂよりも上方に突出し、両孔２５，２５ａの開口部が大気に開放されるようになっている。
【００３５】
上記小空気弁孔１５の下方には、筒状のガイド２１が設けられており、そのガイド２１内に上記小空気孔栓用ピン２０が摺動するようになっている。ガイド２１の内周部には上下方向の溝２１ａを形成してその溝２１ａ内に外部へ通じる流通孔２１ｂが設けられているので、前記小空気孔栓用ピン２０が下降することにより、その本体部２０ｃが小空気弁孔１５から離脱すれば、前記流通孔２１ｂ及び溝２１ａを通じて排気可能となり、前記小空気弁孔１５を開弁することとなる。
【００３６】
上記弁箱１の上面に固定される蓋７には、図４に示すように、空気弁孔１１から放射状に延びる溝２６ａが設けられている。この溝２６ａは、空気弁孔１１周りに等分包囲に設けられることが望ましく、その設置数は、例えば、９０°ごとに４方位、４５°ごとに８方位といったように自由に設定できる。
【００３７】
この蓋７を弁箱１に被せて取付けると、各溝２６ａが、空気弁孔１１を閉じた状態における上記フロート弁１０の上面５ｂと前記空気弁孔１１の内周面との成す凹部Ａの底から上記弁箱１外に通じる排出孔２６となる。
このとき、排出孔２６の空気弁孔１１内への開口部は、前記空気弁孔１１の閉鎖状態における上記弁座８ａと浮動弁体５の上面５ｂとの環状の当接面の内側縁に一致しているので、凹部Ａの底面（浮動弁体５の上面５ｂに形成された凸状の弧状面５ｒ）と排出孔２６の底面とは段差なく連続し、円滑な排水が可能である。
【００３８】
なお、この実施例の排出孔２６は、前記凹部Ａから弁箱１外に向かって水平に設けられているが、蓋７及び弁箱１との接続面の形態を変更することにより下り勾配とすることもできる。また、この排出孔２６は、蓋７の溝２６ａによって形成する手法以外にも、弁箱１に直接穿孔する等の手段により設けても良い。
【００３９】
さらに、弁箱１内と管路Ｐとを連通する導入管３０が設けられており、その導入管３０により前記管路Ｐ内に流れる水の一部が弁箱１内に導入されている。その導入した水は、上記小空気孔栓用ピン２０に向けて放流されるようになっている。なお、前記導入管３０が弁室１３内へ開口する部分において、浮動弁体５のスカート部５ａには開口５ｃが設けられて（図１参照）、その放流を阻害しないようになっている。
【００４０】
水道管路Ｐの新設時や断水後などに初めて通水するとき、あるいは、弁室１３内に空気が流入したとき、水道管路Ｐ内の水を抜く時等における吸排気の基本的作用は、従来例と同様であるので説明を省略し、以下、凍結防止の作用について述べる。
【００４１】
上記フロート３が、水の浮力や水圧により、そのコイルばね２２の付勢力に抗して前記小空気孔栓用ピン２０を押し上げると（図２参照）、その小空気孔栓用ピン２０の本体部２０ｃの外周面が、その小空気弁孔１５の弁座２４の内周面に全長且つ全周に亘って密着する。このとき、小空気孔栓用ピン２０の上部、突出軸部２０ｄとの間に形成されたテーパー部２０ｆは、上記弁座２４のテーパー部２４ａにぴったりと密着する周面に形成されているので、閉弁とともに小空気弁孔１５内の水はすべて上方へ押し出されて、浮動弁体５の弧状面５ｒ上を周縁部に向かって流れていく。小空気弁孔１５内に水が残らないので、水の凍結による小空気弁孔１５の閉塞を防止し、その吸排気の際の作動不良を防ぐことができる。
【００４２】
また、その小空気孔栓用ピン２０が押し上げられた状態において、その小空気孔栓用ピンの前記通水孔２５と前記補助孔２５ａとが前記浮動弁体５の上面５ｂに形成した弧状面５ｒよりも上方に突出するようになっているので、その内部に残る水は、大気圧を受けて自重により補助孔２５ａの開口部から排出されて、浮動弁体上を流下するようになる。このため、前記通水孔２５及び補助孔２５ａ内に水を滞留させることなく、凍結による小空気弁孔１５の閉塞を防止し得る。
【００４３】
その小空気弁孔１５から排出された水は、上記浮動弁体５上に流出することとなるが、その水は、上記排出孔２６を通って弁箱１外に排水できるので、その水が浮動弁体５上に滞留して凍結することによる浮動弁体５の固着を防止し得る。
【００４４】
さらに、上記導入管３０により導入される水が、小空気孔栓用ピン２０に向けて放流されるようになっているので、その小空気孔栓用ピン２０周囲の水が流動し凍結が防止されるようになっている。このため、小空気孔栓用ピン２０周囲の水が凍結して、その上下動が阻害されることをも防止している。
【００４５】
なお、この実施例１では、小空気孔栓用ピン２０に形成される通水孔２５は、その小空気孔栓用ピン２０の上端面開口して設けたが、この開口位置は少なくとも、上記小空気弁孔１５の開弁状態において、通水孔２５の開口部が浮動弁体５上に臨んで排気可能となるものであればよく、例えば、小空気孔栓用ピン２０の上端面ではなく上部の周面に開口しているものであってもよい。
また、この実施例１では、補助孔２５ａの周面への開口位置を、上記テーパー部２０ｆよりも上方としたが、上記小空気弁孔１５の開弁状態において、補助孔２５ａの開口部が、上記小空気弁孔１５内の空間、又は弁室１３内に臨んで排気可能となるもので、且つ、閉弁時に弧状面５ｒよりも上方に突出すればよく、その設置高さ、その設置する向き（小空気弁孔１５からの包囲）、設置間隔、設置数も自由である。
なお、補助孔２５ａの数が増えれば、導入管３０により導入される水が当たりやすくなるので、弁室１３内の水の凍結防止の上では好ましいといえる。
【実施例２】
【００４６】
実施例２を図５乃及び図６に基づいて説明する。この実施例２の空気弁は、実施例１の小空気孔栓用ピン２０に形成された突出軸部２０ｄ、通水孔２５及び補助孔２５ａを省略したものである。また、上記導入管３０も省略されている。
【００４７】
さらに、小空気孔栓用ピン２０のストッパ装置が、実施例１とは異なった構成となっている。具体的には、小空気孔栓用ピン２０は、上部に連続環状、又は断続環状を成す張り出し部２８ａを有する筒状のホルダー２８と一体に上下動するように固定されている。また、その筒状のホルダー２８の内周面と小空気孔栓用ピン２０の外周面との間には、流路２９が設けられているので、この流路２９を通って水が流通することが可能である。また、ホルダー２８の側面や、後記ホルダー２７の側面に開口を設けて流路としてもよい。
そのホルダー２８の張り出し部２８ａは、小空気孔栓用ピン２０が下降した際に、その浮動弁体５の下面に取付けた同じく筒状のホルダー２７の突部２７ａに係止されるようになっており（図５参照）、この係止により、小空気孔栓用ピン２０の脱落が阻止されストッパ装置として機能するようになっている。
【００４８】
なお、上記実施例２においても、実施例１と同様、小空気孔栓用ピン２０は、完全に上昇した状態において、弁座２４の内周面に全周且つ全長に亘って密着するようにしたが、いずれの実施例においても、少なくとも、その小空気孔栓用ピン２０が上昇して閉弁状態になった際に、小空気弁孔１５内の水を、出来る限り残らず上方へ押し出して排出できる構成とすることが望ましい。
したがって、小空気孔栓用ピン２０の外周面と弁座２４の内周面とが、その全周に亘って密着する部分が局部的に設けられている場合、すなわち、両者が全長に亘って密着する構成でない場合においても、少なくとも、その全周密着部分が、上記閉弁状態で弁座２４の上端部に位置するようにすれば、小空気孔栓用ピン２０の上昇により小空気弁孔１５内に残る水を押し上げて排出することは可能である。
【００４９】
また、上記浮動弁体５のスカート部５ａは、フロート３の上下動をガイドする役割を果たすように設けたが、他の手段により、フロート３の円滑な上下動が確保されれば、スカート部５ａを省略した態様も考えられる。
さらに、そのフロート３は、その弾性部材２２の付勢力に抗して前記小空気孔栓用ピン２０を押し上げることにより前記小空気弁孔１５を閉弁させる機能を有するが、そのフロート３と小空気孔栓用ピン２０とを一体に形成して、両者が一体に上下動するようにした態様も考えられる。
また、コイルばね２２の素材として、他の構成からなるばねや、ゴムなどの他の素材からなる弾性部材を使用してもよい。
【図面の簡単な説明】
【００５０】
【図１】実施例１の開弁状態を示す縦断正面図
【図２】同実施例の閉弁状態を示す縦断正面図
【図３】同実施例の小空気孔栓用ピン及びガイドを示す詳細図
【図４】同実施例の弁箱の蓋を示す詳細図
【図５】実施例２の開弁状態を示す縦断正面図
【図６】同実施例の閉弁状態を示す縦断正面図
【図７】従来例の断面図を示し、（ａ）は管路に充水する際の急速排気の状態、（ｂ）は充水完了状態、（ｃ）は少量排気状態、（ｄ）は急速吸気状態を示す
【符号の説明】
【００５１】
１  弁箱
２  案内部材
３  フロート
４  管路接続口
５  浮動弁体
５ａ  スカート部
５ｂ  上面
５ｒ  弧状面
６  連通口
７  蓋
８  ガスケット
８ａ，１１ａ，１６  弁座
９  保護カバー
１０  フロート弁
１１  空気弁孔
１２  大連通口
１３  弁室
１４  流路
１５  小空気弁孔
１７  ねじ部材
１８  スリーブ
２０  小空気孔栓用ピン
２０ａ  鍔部
２０ｂ  クッションゴム
２０ｃ  本体部
２０ｄ  突出軸部
２０ｅ  張り出し部
２０ｆ  テーパー部
２１  ガイド
２１ａ  溝
２１ｂ  流通孔
２２  コイルばね（弾性部材）
２３  ねじ部材（ネジコマ）
２４  弁座
２４ａ  テーパー部
２５  通水孔
２５ａ  補助孔
２６  排出孔
２６ａ  溝
２７，２８  ホルダー
２９  流路
３０  導入管
【図１】
2007177913.tif 000003
【図２】
2007177913.tif 000004
【図３】
2007177913.tif 000005
【図４】
2007177913.tif 000006
【図５】
2007177913.tif 000007
【図６】
2007177913.tif 000008
【図７】
2007177913.tif 000009